(57)【要約】  【課題】直接冷却方式にて冷却される冷蔵室と、間接冷却方式にて冷却される冷凍室を備えたものにおいて、高負荷時、冷蔵室内を急速に冷却し、高負荷時以外は食品の乾燥を抑制することで、食品の保鮮性を向上することのできる、保鮮能力の高い冷蔵庫を提供する。  【解決手段】冷凍室４１内の冷気もしくは冷凍室用蒸発器５３と熱交換した冷気を冷凍室ファン５２にて冷蔵室２１内へ循環させ、更に冷蔵室２１の温度を検知して開閉する開閉ダンパー３６にて循環する冷気量をコントロールすることにより、高負荷時において冷蔵室２１を冷却壁面２０の直接冷却と、冷凍室４１または冷凍室蒸発器５３の冷気を冷蔵室２１へ循環させる間接冷却を行い、冷蔵室２１を急速に冷却することが可能となり、また高負荷時以外は開閉ダンパー３６を閉じ、冷却壁面２０の直接冷却のみで行い、食品の乾燥を抑制することができ、食品の保湿性を維持しつつ保鮮性を向上することができる。【選択図】図１
2008249292.tif 000002
【特許請求の範囲】
【請求項１】
直接冷却方式にて冷却される冷蔵室と、間接冷却方式にて冷却される冷凍室を備えた冷蔵庫に、冷凍室もしくは冷凍室冷却風路と冷蔵室を連通させる風路を設け、前記連通風路に開閉ダンパーを備えたことを特徴とする冷蔵庫。
【請求項２】
冷蔵室の蒸発器の霜を除霜する際、前記連通風路に開閉ダンパーを開け、冷凍室もしくは冷凍室冷却風路の冷気を冷蔵室の蒸発器とは独立分離された風路を形成して冷蔵室内に送風させることを特徴とする請求項１に記載の冷蔵庫。
【請求項３】
蒸発器を、冷蔵室を形成する内箱の壁面から離し、冷却パイプを裏面に貼り付けた熱伝導性が良い化粧板を冷却壁面として冷蔵室庫内に設置したことを特徴とする請求項１または２に記載の冷蔵庫。
【請求項４】
冷蔵室天面に吐出風路と、吐出口を設けたことを特徴とする請求項１から３のいずれか一項に記載の冷蔵庫。
【請求項５】
冷蔵室内に冷蔵室攪拌用ファンを設けたことを特徴とする請求項１から３のいずれか一項に記載の冷蔵庫。
【請求項６】
冷蔵室の蒸発器と冷凍室の蒸発器を並列にし、前記蒸発器の上流に両開き可能な三方弁を備えた冷却回路とし、冷凍室の蒸発器の霜を除霜する際、冷蔵室の冷却を停止しないように制御することを特徴とする請求項１から５のいずれか一項に記載の冷蔵庫。
【発明の詳細な説明】
【技術分野】
【０００１】
本発明は、直接冷却方式にて冷却される冷蔵室と、間接冷却方式にて冷却される冷凍室を有する冷蔵庫に関するものである。
【背景技術】
【０００２】
従来、この種の冷蔵庫は、圧縮機から吐出された冷媒が凝縮器、三方弁、減圧器、蒸発器を通過し、再び圧縮機に戻る冷凍サイクルを構成し、蒸発器で冷却された冷却壁面により庫内を冷却する直接冷却式と、蒸発器で冷却された冷気を庫内へ循環させて庫内を冷却する間接冷却式がある（例えば、特許文献１参照）。
【０００３】
以下、図面を参照しながら上記従来の冷蔵庫を説明する。
【０００４】
図１１は、特許文献１に記載された従来の冷蔵庫の概略断面図を示すものである。図１１に示すように、従来の冷蔵庫は、断熱効果のある仕切り板１２１によって、冷蔵ゾーン１２２と冷凍ゾーン１２３とが上下に区画され、さらに、冷蔵ゾーン１２２内は仕切り板１２４によって、冷蔵室２１と野菜室１２４ａとが上下に区画形成されている。また、冷凍ゾーン１２３内では、仕切り板１２５によって、第１冷凍室１２６と第２冷凍室１２７にそれぞれ仕切られている。そして、冷蔵室２１の内箱５壁面に冷却パイプ１２８が配置され、冷凍ゾーン１２３背面には蒸発器５３と冷凍室ファン５２を備えた構成となっている。
【特許文献１】特開２０００−０２８２５７号公報
【発明の開示】
【発明が解決しようとする課題】
【０００５】
しかしながら、上記従来の構成では、高外気高湿度での冷蔵室扉の開閉回数が多い時や保存食品が大量に投入されるなど、高負荷時に急速な冷却が必要な場合、冷凍能力を向上するため冷蔵室の蒸発温度を低下しなければならず、冷蔵室循環用ファンを採用しているため、冷蔵室の蒸発器もしくは冷却壁面の着霜量が多くなり、蒸発器もしくは冷却壁面の冷凍能力がすぐに低下してしまう。また、冷凍能力を戻すため、除霜を行う必要が生じ、頻繁に冷蔵室の冷却を停止する必要がある。したがって、冷蔵室の高負荷時、冷蔵室の食品を急速に冷やすため、より冷凍能力を必要とするときに、着霜による冷凍能力劣化、除霜のための頻繁な冷却停止により、冷蔵室の蒸発器もしくは冷却壁面の冷凍能力を充分に発揮できないという課題を有していた。
【０００６】
本発明は上記従来の課題を解決するもので、急速な庫内の冷却を可能とするとともに、食品の乾燥も抑制し、使い勝手の良い冷蔵庫を提供することを目的とする。
【課題を解決するための手段】
【０００７】
上記従来の課題を解決するために、本発明の請求項１にあっては、直接冷却方式にて冷却される冷蔵室と、間接冷却方式にて冷却される冷凍室を備えたものにおいて、冷凍室もしくは冷凍室冷却風路と冷蔵室を連通させる風路を設け、前記連通風路に開閉ダンパーを設置したものである。
【０００８】
これによって、高外気高湿度での冷蔵室扉の多数の開閉や保存食品が大量に投入されるなどの高負荷時には、開閉ダンパーを開かせ、冷凍室もしくは冷凍室冷却用蒸発器からの冷気を冷蔵室に送り、冷蔵室の蒸発器をベースに構成された冷却壁面と、冷凍室もしくは冷凍室冷却用蒸発器の冷気の両方から冷蔵室庫内を急速に冷却することができる。また、庫内温度が所定温度内に安定すれば、開閉ダンパーを閉じて冷蔵室の冷却壁面のみの冷却とし、食品の乾燥を抑制することが可能となる。
【０００９】
また、本発明の請求項２にあっては、請求項１に記載の発明において、冷蔵室の冷却壁面の除霜中、冷凍室もしくは冷凍室冷却用蒸発器の冷気を冷蔵室へ送風する制御を行なう。
【００１０】
これによって、請求項１に記載の発明の効果に加え、冷蔵室の冷却壁面の除霜中すなわち冷蔵室の冷却壁面の冷却壁面での冷却がない場合でも、冷凍室もしくは冷凍室冷却用蒸発器の冷気を冷蔵室に送風することで、冷蔵室の冷却を維持・継続させることができる。
【００１１】
また、本発明の請求項３にあっては、請求項１または２に記載の発明において、冷蔵室の内箱と蒸発器で構成した冷却壁面から、蒸発器を冷蔵室の内箱から分離し、冷却パイプを裏面に貼り付けた熱伝導性が良い化粧板（例えばアルミプレート）を冷蔵室冷却器として冷蔵室内に設置する。
【００１２】
これによって、請求項１または２に記載の発明の効果に加え、冷蔵室内箱の熱抵抗分すなわち内箱の板厚が断熱抵抗となる分が減少し、また冷却面積が拡大するため、冷却効率が向上することができる。
【００１３】
また、本発明の請求項４にあっては、請求項１から３のいずれか一項に記載の発明において、冷蔵室の天面に吐出風路と吐出口を設け、前記冷蔵室内複数風路と冷蔵室天面吐出風路を繋ないだ構成としたものである。
【００１４】
これによって、請求項１から３のいずれか一項に記載の発明の効果に加え、シャワー方式で冷却することができ、より冷蔵室内の温度分布を低減することが可能となり、食品をどの位置に配置しても均一に冷却することができる。
【００１５】
また、本発明の請求項５にあっては、請求項１から３のいずれか一項に記載の発明において、冷蔵室内に冷蔵室内攪拌用ファンを設ける。
【００１６】
これにより、請求項１から３のいずれか一項に記載の発明の効果に加え、冷蔵室内攪拌用ファンを回転することで冷蔵室内の雰囲気を攪拌でき、より冷蔵室内の温度分布を低減することが可能となる。
【００１７】
また、本発明の請求項６にあっては、請求項１から５のいずれか一項に記載の発明において、冷蔵室の蒸発器と冷凍室の蒸発器を並列にし、前記蒸発器の上流に両開き可能な三方弁を備えた冷却回路とし、蒸発器への冷媒流れを制御する。
【００１８】
これにより、請求項１から５のいずれか一項に記載の発明の効果に加え、冷凍室用蒸発器の除霜時に冷蔵室の冷却を停止させることが不要となり、冷蔵室の冷却を常に行うことが可能となる。
【発明の効果】
【００１９】
本発明の冷蔵庫は、請求項１から３に記載の発明により、高外気高湿度での冷蔵室扉の多数の開閉や保存食品が大量に投入されるなどの高負荷時、冷蔵室内を急速に冷却し、さらに、庫内温度が所定温度内に安定すれば、食品の乾燥を抑制することが可能となる。また、冷蔵室の冷却壁面の除霜中も冷蔵室の急速冷却を継続させることができる。
【００２０】
また、本発明の冷蔵庫は、請求項４と請求項５に記載の発明により、冷蔵室内の温度分布の温度差を最小限に留めることができ、さらに食品の保鮮性向上を図ることができる。
【００２１】
また、本発明の冷蔵庫は、請求項６に記載の発明により、冷凍室用蒸発器の除霜時に冷蔵室の冷却を停止させることが不要となり、冷蔵室の冷却を常に行うことが出来、食品の保鮮期間をより長く保持可能である。
【発明を実施するための最良の形態】
【００２２】
請求項１に記載の発明は、蒸発器を備え直接冷却方式にて冷却される冷蔵室と、間接冷却方式にて冷却される冷凍室を備えたものにおいて、冷凍室もしくは冷凍室冷却風路と冷蔵室を連通させる風路を設け、前記連通風路に開閉ダンパーを備えることにより、高外気高湿度での冷蔵室扉の開閉頻度の高い時、や保存食品が大量に投入されるなどの高負荷時には、開閉ダンパーを開かせ、冷凍室もしくは冷凍室冷却用蒸発器からの冷気を冷蔵室に送り、冷蔵室の冷却壁面と、冷凍室もしくは冷凍室冷却用蒸発器の冷気の両方から冷蔵室を急速に冷却させることができる。また、冷蔵室内温度が所定温度以内に安定すれば、開閉ダンパーを閉じて冷蔵室の冷却壁面のみの直接冷却とし、食品の乾燥を抑制することが可能となる。
【００２３】
請求項２に記載の発明は、請求項１に記載の発明において、冷蔵室の冷却壁面の除霜中、冷凍室もしくは冷凍室冷却用蒸発器の冷気を冷蔵室の蒸発器とは独立分離された風路を形成して冷蔵室内に送風する制御とすることにより、請求項１の効果に加え、冷蔵室の除霜中でも、冷却壁面と分離した風路である冷凍室もしくは冷凍室冷却風路と連通する風路を設けるため、効率よく冷蔵室の冷却を継続させることが可能となる。
【００２４】
請求項３に記載の発明は、請求項１または２に記載の発明において、蒸発器を、冷蔵室を形成する内箱の壁面から離し、冷却パイプを裏面に貼り付けた熱伝導性が良い化粧板例えばアルミプレートを冷蔵室冷却器として冷蔵室庫内に設置することにより、請求項１または２に記載の発明の効果に加え、冷蔵室内箱の熱抵抗分すなわち内箱の板厚分が断熱抵抗となる分が減少し、また冷却器の面積が拡大するため、冷却効率が向上させることが可能となる。
【００２５】
請求項４に記載の発明は、請求項１から３のいずれか一項に記載の発明において、冷蔵室天面に吐出風路と、吐出口を設けることにより、請求項１から３のいずれか一項に記載の発明の効果に加え、シャワー方式で冷却することができ、より冷蔵室内の温度分布を低減することが可能となり、食品をどの位置に配置しても均一に冷却することが可能となる。
【００２６】
請求項５に記載の発明は、請求項１から３のいずれか一項に記載の発明において、冷蔵室内に冷蔵室攪拌用ファンを設けることにより、これにより、請求項１から３のいずれか一項に記載の発明の効果に加え、冷蔵室内攪拌用ファンを運転することで冷蔵室内の雰囲気を攪拌でき、より冷蔵室内の温度分布の温度差を最小限に留めることが可能となる。
【００２７】
請求項６に記載の発明は、請求項１から５のいずれか一項に記載の発明において、冷蔵室の蒸発器と冷凍室の蒸発器を並列に並べ、前記蒸発器の上流に両開き可能な三方弁を備えた冷却回路とし、蒸発器への冷媒流れを制御することにより、請求項１から５のいずれか一項に記載の発明の効果に加え、冷凍室用蒸発器の除霜時に冷却運転を停止させることが不要となり、冷蔵室の冷却を常に行うことが可能となる。
【００２８】
以下、本発明の実施の形態について、図面を参照しながら説明する。なお、この実施の形態によってこの発明が限定されるものではない。
【００２９】
（実施の形態１）
図１、図２、図３は、本発明の実施の形態１における冷蔵庫の縦断面図、冷蔵室の正面図、冷凍サイクルの構成図を示すものである。
【００３０】
図１において、キャビネット１は、内箱５と外箱６との間に断熱材７が充填された断熱箱体８によって構成された冷蔵庫を示している。冷蔵庫は上から冷蔵室２１、保温室３１、冷凍室４１を有しており、前面は冷蔵室開閉扉２、保温室開閉扉３、冷凍室開閉扉４となっている。
【００３１】
冷蔵室２１と保温室３１は断熱効果を有する仕切り板９によって、保温室３１と冷凍室４１は断熱効果を有する仕切り板１０によって仕切られている。仕切り板１０の奥には、冷凍室４１と繋がるダクト１１が設置されている。
【００３２】
冷蔵室２１内には食品を収納するための冷蔵室棚２２及び、冷蔵室ケース２３が配置されている。また、冷蔵室２１の内箱５背面には、壁面に接して冷蔵室蒸発器１９が配置され、冷蔵室２１庫内は冷蔵室蒸発器１９によって冷却される冷却壁面２０を有する構成となっている。
【００３３】
冷凍室４１内にある冷却室５１は、断熱効果を有する仕切り板４４によって仕切られている。冷却室５１内には、冷凍室ファン５２と冷凍室蒸発器５３と除霜用ヒーター５４が配置されている。仕切り板４４には、冷凍室ファン５２から吐出された冷気を冷凍室４１内にある食品を収納するための冷凍室ケース４２へ吐出される吐出口４３を構成するとともに、仕切り板１０の奥に、冷蔵室２１、保温室３１へ繋がる風路１１が設けられ、風路３３、風路３４へ分岐され、さらに、風路３４は仕切り板９の奥で冷蔵室風路２４へ繋がれている。風路３３、風路３４内部には、開閉ダンパー３５、開閉ダンパー３６が配設されている。
【００３４】
図２に示すように、冷蔵室２１背面には、冷蔵室蒸発器１９を貼り付けている部分を避けて、冷蔵室風路２４が配設され、冷蔵室風路２４から冷蔵室２１へ冷気を吐出させる冷蔵室吐出口２５が設けられ、冷蔵室風路２４は風路カバー２６にて覆われている。
【００３５】
図３は冷凍サイクルを示すものである。圧縮機６１から吐出された冷媒は、凝縮器６２で凝縮され、三方弁６３にて流路を切り替えている。一方は、キャピラリーチューブ６４で減圧され、冷蔵室蒸発器１９、冷凍室蒸発器５３にて蒸発し、アキュームレーター６６を介して、再度、圧縮機６１へ戻る冷蔵室・冷凍室同時冷却サイクルを構成している。また、他方は、キャピラリーチューブ６５で減圧され、冷凍室蒸発器５３にて蒸発し、アキュームレーター６６を介して、圧縮機６１へ戻る冷凍室単独冷却サイクルを構成している。したがって、冷蔵室２１は内箱５背面に接している冷蔵室蒸発器１９により冷却され、冷凍室４１は冷凍室蒸発器５３の蒸発潜熱を冷凍室ファン５２により撹拌し冷気を送風して冷却している。
【００３６】
以上のように構成された冷蔵庫について、以下その動作、作用を説明する。
【００３７】
まず、圧縮機６１が稼動することで、冷媒が圧縮、凝縮、減圧されることにより冷蔵室蒸発器１９、冷凍室蒸発器５３が蒸発潜熱によって冷却される。
【００３８】
冷蔵室蒸発器１９おいては、冷蔵室２１の内箱５の背面に接しており、冷蔵室２１の内箱５の背面が冷却壁面２０となり、冷蔵室２１内の冷蔵室棚２２、冷蔵室ケース２３の冷却を行っている。
【００３９】
一方、冷却室内５１にある冷凍室蒸発器５３においては、冷凍室ファン５２によって冷気を吐出させ、仕切り板４４内の風路を通過し、吐出口４３より冷凍室ケース４２へ吐出される。吐出した冷気は冷凍室ケース４２と熱交換した後、仕切り板４４下部より吸い込まれる。
【００４０】
さらに、冷凍室ファン５２によって吐出された冷気は仕切り板４４内の風路を通過するが、一部冷気は仕切り板１０の奥にある風路１１へ流入し、開閉ダンパー３５を通過し、保温室３１内背面にある風路３３へ循環していく。風路３３に流入した冷気は、吐出口３７より保温室ケース３２に吐出され、保温室ケース３２と熱交換した後、背面にある風路３３より吸い込まれ、冷却室５１へ戻される。このとき、保温室３１内の温度を検知しており、設定温度範囲内で、開閉ダンパー３５の開閉頻度を変化させ、開閉ダンパー３５を通過する冷気量をコントロールし、保温室３１の温度を一定に保っている。
【００４１】
そして、高外気高湿度での冷蔵室扉２の多数の開閉や、保存食品が大量に投入されるなどの高負荷時には、冷蔵室２１内の温度を検知し、高負荷判定温度以上となると開閉ダンパー３６を開かせ、保温室３１内背面にある風路３４へ冷気を流入させる。風路３４に流入した冷気は、仕切り板９の奥にある風路２４へ流入し、吐出口２５より冷蔵室２１に吐出され、冷蔵室内の食品と熱交換した後、冷蔵室２１背面にある風路２４より吸い込まれ、冷却室５１へ戻される。開閉ダンパー３６が開いた後、冷蔵室２１内の温度が不高負荷判定温度以下になった場合は、開閉ダンパー３６を閉じ、冷蔵室蒸発器１９のみの冷却となる。
【００４２】
以上のように、本実施の形態では、冷蔵室２１の温度を検知して動作する開閉ダンパー３６の開閉を行うことで、冷凍室４１内冷気もしくは冷凍室蒸発器５３と熱交換した冷気を冷凍室ファン５２にて冷蔵室２１へ循環する冷気量をコントロールし、高負荷時、冷蔵室２１内を急速に冷却することができ、高負荷以外の際は、開閉ダンパー３６を閉じ冷蔵室蒸発器１９のみの冷却とすることで、直接冷却のみの冷却方式となり、食品の乾燥を防ぐことが可能なる。
【００４３】
なお、本実施の形態は、冷蔵室冷却壁面２０が冷蔵室２１内を冷却している場合としたが、冷蔵室冷却壁面２０が着霜した場合には、三方弁６３により冷媒をキャピラリーチューブ６５へ流れる回路に切り替え冷凍室単独冷却サイクルとし、冷蔵室蒸発器１９の冷却を停止して、冷蔵室冷却壁面２０の除霜を行う。このとき、冷蔵室２１の温度を検知して動作する開閉ダンパー３６の開閉を行い、冷蔵室２１の冷却を継続する制御を行うことにより、冷蔵室の除霜中でも、冷蔵室の冷却を継続させることが可能となる。
【００４４】
（実施の形態２）
図４、図５は、本発明の実施の形態２における冷蔵庫の断面図、冷蔵室の正面図を示すものである。尚、実施の形態１と同一構成については、同一符号を付してその詳細な説明は省略する。
【００４５】
図４、図５において、冷蔵室冷却器２７は、内箱５背面から庫内側に一定の空間を保ち保持された構造となっている。さらに、冷蔵室冷却器２７は、熱伝導性プレート２８と冷蔵室冷却パイプ２９で構成されており、熱伝導性プレート２８の裏面（内箱５側）に冷蔵室冷却パイプ２９が貼り付けられている。
【００４６】
なお、本実施の形態の冷蔵庫の冷凍サイクルは、図３に示す実施の形態１の冷凍サイクルと同一構成であるため、説明は除く。
【００４７】
以上のように構成された本実施の形態の冷蔵庫について、以下、実施の形態１と異なる部分を中心に、その動作、作用を説明する。
【００４８】
冷蔵室冷却器２７は、冷蔵室冷却パイプ２９内の蒸発潜熱により冷却され、熱伝導性プレート２８に熱伝導して冷蔵室冷却器２７の表面（庫内側）と裏面（内箱側）の両面が冷却面となり、冷蔵室２１を冷却する。
【００４９】
以上のように、本実施の形態では、冷蔵室冷却器２７を、内箱５背面から庫内側に一定の空間を保ち保持された構造とすることにより、冷蔵室内箱５の熱抵抗分が減少し、また冷却面積が拡大するため、冷却効率を向上することができる。
【００５０】
（実施の形態３）
図６、図７は、本発明の実施の形態３における冷蔵庫の断面図、正面図を示すものである。尚、実施の形態１もしくは実施の形態２と同一構成については、同一符号を付してその詳細な説明は省略する。
【００５１】
図６、図７において、冷蔵室２１の天面に冷蔵室天面風路７１を構成している。また、冷蔵室天面風路７１の奥は、冷蔵室風路２４と繋がっており、冷蔵室天面風路７１は、天面吐出口７２が形成された冷蔵室天面風路カバー７３で覆われて固定されている。
【００５２】
なお、本実施の形態の冷蔵庫の冷凍サイクルは、図２に示す実施の形態１の冷凍サイクルと同一構成であるため、説明は除く。
【００５３】
以上のように構成された本実施の形態の冷蔵庫について、以下、実施の形態１もしくは実施の形態２と異なる部分を中心に、その動作、作用を説明する。
【００５４】
冷凍室ファン５２によって吐出された一部冷気が仕切り板１０の奥にある風路１１へ流入し、開閉ダンパー３６を風路３４を通過し、冷蔵室風路２４へ送り込まれる。冷蔵室風路２４へ送り込まれた冷気の一部は、冷蔵室吐出口２５から冷蔵室２１へ吐出される。さらに、冷気は、冷蔵室風路２４と繋がれた冷蔵室天面風路７１へ流入し、冷蔵室天面吐出口７２から冷蔵室２１へ吐出される。その後、冷蔵室２１内の食品と熱交換した後、冷蔵室風路２４より吸い込まれ、冷却室５１へ戻される。
【００５５】
以上のように、本実施の形態では、冷凍室ファン５２によって吐出された一部冷気は、冷蔵室天面風路７１を通過、冷蔵室２１の天面に配設された冷蔵室天面吐出口７２より吐出することにより、冷蔵室２１内へシャワー方式で冷却することができ、冷蔵室２１内の温度分布を低減することが可能となり、食品をどの位置に配置しても均一な一定温度に保つことが可能となる。
【００５６】
（実施の形態４）
図８、図９は、本発明の実施の形態４における冷蔵庫の断面図、正面図を示すものである。尚、実施の形態１もしくは実施の形態２と同一構成については、同一符号を付してその詳細な説明は省略する。
【００５７】
図８、図９において、冷蔵室２１背面上部に、冷蔵室内攪拌用ファン８１を配設し、冷蔵室内攪拌用ファン８１は冷蔵室内攪拌用ファンカバー８２により覆われ、冷蔵室２１天面に固定されている。
【００５８】
なお、本実施の形態の冷蔵庫の冷凍サイクルは、図２に示す実施の形態１の冷凍サイクルと同一構成であるため、説明は除く。
【００５９】
以上のように構成された本実施の形態の冷蔵庫について、以下、実施の形態１、実施の形態２もしくは実施の形態３と異なる部分を中心に、その動作、作用を説明する。
【００６０】
冷蔵室内攪拌用ファン８１を運転することにより、冷蔵室２１の雰囲気が攪拌される。
【００６１】
以上のように、本実施の形態では、冷蔵室内攪拌用ファン８１を運転することにより、冷蔵室２１の雰囲気を攪拌することができ、冷蔵室２１の温度分布を低減することが可能となり、食品をどの位置に配置しても均一な一定温度に保つことが可能となる。
【００６２】
（実施の形態５）
図１０は、本発明の実施の形態５における冷蔵庫の冷凍サイクルの構成図を示すものである。尚、実施の形態１、実施の形態２、実施の形態３もしくは実施の形態４と同一構成については、同一符号を付してその詳細な説明は省略する。
【００６３】
本実施の形態の冷蔵庫の断面図、正面図は、図１、図２に示す実施の形態１の断面図、正面図と同一構成であるため、説明は除く。
【００６４】
図１０において、圧縮機６１から吐出された冷媒は、凝縮器６２で凝縮され、両開き可能な三方弁９１にて流路を切り替えている。一方は、キャピラリーチューブ９２で減圧され、冷蔵室蒸発器１９にて蒸発し、アキュームレーター９４を介して、再度、圧縮機６１へ戻る冷蔵室冷却サイクルを構成している。また他方は、キャピラリーチューブ９３で減圧され、蒸発器５３にて蒸発し、アキュームレーター６６を介して、圧縮機６１へ戻る冷凍室冷却サイクルを構成している。さらに、両開き可能な三方弁９１を両開することにより、キャピラリーチューブ９２、キャピラリーチューブ９３それぞれで減圧され、冷蔵室蒸発器１９、蒸発器５３にて蒸発し、アキュームレーター９４、アキュームレーター６６を介して、圧縮機６１へ戻る冷蔵室・冷凍室同時冷却サイクルも構成している。
【００６５】
以上のように構成された本実施の形態の冷蔵庫について、以下、実施の形態１、実施の形態２、実施の形態３もしくは実施の形態４と異なる部分を中心に、その動作、作用を説明する。
【００６６】
冷凍室用蒸発器５３に着霜し、除霜が必要となった場合、両開き可能な三方弁９１を冷蔵室冷却サイクルにすることで、冷凍室用蒸発器５３への冷媒供給が停止され、冷凍室用蒸発器５３内の蒸発が停止され、冷凍室用蒸発器５３の除霜を行なう。このとき、冷蔵室蒸発器１９へは冷媒供給は継続され、冷蔵室蒸発器１９の蒸発潜熱により冷却壁面２０が冷やされ、最終的に冷蔵室２１を冷却している。
【００６７】
以上のように、本実施の形態では、冷蔵室蒸発器１９と冷凍室蒸発器５３を並列回路とし、それら蒸発器の上流に両開き可能な三方弁９１を備えた冷凍サイクルにすることにより、冷凍室用蒸発器５３の除霜時、冷蔵室２１の冷却を停止させることが不要となり、冷蔵室２１の冷却を継続的に行うことが可能となる。
【産業上の利用可能性】
【００６８】
以上のように、本発明による冷蔵庫は、高負荷時において冷蔵室を急速に冷却し、高負荷時以外は食品の乾燥を抑制し、食品の保鮮性向上を図ることが可能となる。また、冷蔵室の温度分布を小さくすることができ、食品の保鮮性をさらに向上させることにより長期保存も可能となる。
【００６９】
以上のような効果から、冷蔵庫以外の冷凍機器等の用途にも適用できる。
【図面の簡単な説明】
【００７０】
【図１】本発明の実施の形態１における冷蔵庫の縦断面図
【図２】本発明の実施の形態１における冷蔵庫の正面図
【図３】本発明の実施の形態１における冷凍サイクルの構成図
【図４】本発明の実施の形態２における冷蔵庫の縦断面図
【図５】本発明の実施の形態２における冷蔵庫の正面図
【図６】本発明の実施の形態３における冷蔵庫の縦断面図
【図７】本発明の実施の形態３における冷蔵庫の正面図
【図８】本発明の実施の形態４における冷蔵庫の縦断面図
【図９】本発明の実施の形態４における冷蔵庫の正面図
【図１０】本発明の実施の形態５における冷凍サイクルの構成図
【図１１】従来技術における冷蔵庫の縦断面図
【符号の説明】
【００７１】
１    キャビネット
２    冷蔵室開閉扉
３    保温室開閉扉
４    冷凍室開閉扉
５    内箱
６    外箱
７    断熱材
８    断熱箱体
９    仕切り板（冷蔵室・保温室）
１０  仕切り板（保温室・冷凍室）
１１  冷蔵室・保温室集合風路
１９  冷蔵室蒸発器
２０  冷却壁面
２１  冷蔵室
２２  冷蔵室棚
２３  冷蔵室ケース
３１  保温室
３２  保温室ケース
３３  保温室用風路（保温室背面）
３４  冷蔵室用風路（保温室背面）
３５  開閉ダンパー（保温室風路）
３６  開閉ダンパー（冷蔵室風路）
３７  吐出口（保温室用）
４１  冷凍室
４２  冷凍室ケース
４３  吐出口（冷凍室用）
４４  仕切り板（冷凍室・冷却室）
５１  冷却室
５２  冷凍室ファン
５３  冷凍室蒸発器
５４  除霜用ヒーター
６１  圧縮機
６２  凝縮器
６３  三方弁
６４  キャピラリーチューブ（冷蔵室・冷凍室同時冷却サイクル用）
６５  キャピラリーチューブ（冷凍室単独冷却サイクル用）
６６  アキュームレーター
７１  冷蔵室天面風路
７２  冷蔵室天面吐出口
７３  冷蔵室天面風路カバー
８１  冷蔵室内撹拌用ファン
８２  冷蔵室内撹拌用ファンカバー
９１  三方弁（両開き可能）
９２  キャピラリーチューブ（冷蔵室冷却サイクル用）
９３  キャピラリーチューブ（冷凍室冷却サイクル用）
９４  アキュームレーター
９５  逆止弁
【図１】
2008249292.tif 000003
【図３】
2008249292.tif 000004
【図４】
2008249292.tif 000005
【図６】
2008249292.tif 000006
【図８】
2008249292.tif 000007
【図１０】
2008249292.tif 000008
【図１１】
2008249292.tif 000009
【図２】
2008249292.tif 000010
【図５】
2008249292.tif 000011
【図７】
2008249292.tif 000012
【図９】
2008249292.tif 000013